(57)【要約】【課題】  澱粉糊等の接着剤を使用しないで壁紙の内装壁面への貼り直しが可能で、位置決めした後には簡単な施工で強い粘着力を得ることが可能な壁紙施工法を得る。【解決手段】  壁紙に貼着される強粘着面と内装壁面に貼着される易剥離粘着面とを備えた両面テープ材にて壁紙を内装壁面に貼着する内装施工法であって、内装壁面の壁紙の仮貼着領域の内側周囲に両面テープ材を易剥離粘着面で貼着する工程と、貼着領域の内側周囲に貼着された両面テープ材の強粘着面に壁紙を貼着する工程と、壁紙を両面テープ材と共に仮貼着領域から剥がして目的の貼着領域に貼り直して位置合わせする工程と、位置合わせした壁紙の両面テープ材を壁紙側から強く圧着する工程とを備える。【選択図】      図２
2017106196.tif 000002
【特許請求の範囲】
【請求項１】
壁紙に貼着される強粘着面と、内装壁面に貼着される易剥離粘着面とを備えた両面テープ材にて壁紙を内装壁面に貼着する内装施工法であって、
前記内装壁面の壁紙の仮貼着領域の内側周囲に前記両面テープ材を易剥離粘着面で貼着する工程と、
前記貼着領域の内側周囲に貼着された両面テープ材の強粘着面に壁紙を貼着する工程と、
前記壁紙を両面テープ材と共に仮貼着領域から剥がして目的の貼着領域に貼り直して位置合わせする工程と、
位置合わせした壁紙の両面テープ材を壁紙側から強く圧着する工程とを備えたことを特徴とする壁紙施工法。
【請求項２】
壁紙に貼着される強粘着面と、内装壁面に貼着される易剥離粘着面とを備えた両面テープ材にて壁紙を内装壁面に貼着する内装施工法であって、
前記壁紙の裏面に前記両面テープ材を強粘着面で貼着する工程と、
前記壁紙の裏面に表出した前記両面テープ材の易剥離粘着面で目的の貼着領域に貼り直ししつつ位置合わせする工程と、
位置合わせした壁紙の両面テープ材を壁紙側から強く圧着する工程とを備えたことを特徴とする壁紙施工法。
【請求項３】
壁紙に貼着される強粘着面と、内装壁面に貼着される易剥離粘着面とを備えた両面テープ材にて壁紙を内装壁面に貼着する内装施工法であって、
前記内装壁面の壁紙の仮貼着領域の内側周囲に前記両面テープ材を強粘着面で貼着する工程と、
前記貼着領域の内側周囲に貼着された両面テープ材の易剥離粘着面に壁紙を貼着する工程と、
前記壁紙を両面テープ材の易剥離粘着面から剥がして目的の貼着領域に貼り直して位置合わせする工程と、
位置合わせした壁紙の両面テープ材を壁紙側から強く圧着する工程とを備えたことを特徴とする壁紙施工法。
【請求項４】
壁紙に貼着される強粘着面と、内装壁面に貼着される易剥離粘着面とを備えた両面テープ材にて壁紙を内装壁面に貼着する内装施工法であって、
前記壁紙の裏面に前記両面テープ材を易剥離粘着面で貼着する工程と、
前記壁紙の裏面に表出した前記両面テープ材の強粘着面で目的の貼着領域に位置合わせする工程と、
位置合わせした壁紙の両面テープ材を壁紙側から強く圧着する工程とを備えたことを特徴とする壁紙施工法。
【請求項５】
前記両面テープ材として、両面テープ材を壁紙側から強く圧着した際に、易剥離粘着面が強い粘着面に変化するものを用いることを特徴とする請求項１〜４の何れか１項に記載の壁紙施工法。
【請求項６】
請求項１〜５の何れか１項に記載の壁紙施工法に用いる両面テープ材であって、
前記両面テープ材が、両面テープ材を壁紙側から強く圧着した際に、易剥離粘着面が強い粘着面に変化することを特徴とする壁紙施工法で用いる両面テープ材。
【請求項７】
前記内装壁面と貼着する易剥離粘着面の表面に多数の粘着層内に埋設可能な粒子が表出していることを特徴とする請求項６に記載の壁紙施工法で用いる両面テープ材。
【発明の詳細な説明】
【技術分野】
【０００１】
本発明は、澱粉糊等の接着剤を使用しないで壁紙を内装壁面に貼着する壁紙施工法に関し、更に、この壁紙施工法で用いる両面テープ材に関するものである。
【背景技術】
【０００２】
熟練を有する内装業者が壁紙施工する場合には、壁紙糊付機を用いて澱粉糊等のペースト状糊を壁紙裏面に均一に塗布して、壁紙を内装壁面に貼付し、重ね合わせ部分を取り除いて付き合わせ状態にする等の方法で施工する。
【０００３】
一方、一般人がＤＩＹや日曜大工で壁紙施工する場合には、多くは壁紙糊付機を持たないために、澱粉糊等のペースト糊を刷毛等で壁紙裏面に塗布して用いる。このような場合、第１に糊桶・刷毛・ローラー等専用工具を準備する必要がある問題があった。また、一般住宅においては、壁紙裏面に糊付するスペースの確保が難しい問題があった。
【０００４】
加えて、刷毛・ローラー等の不慣れな道具を用いて、壁紙の裏面か壁表面に直接塗布しなければならず、適切な塗布量を均一に塗布し、壁紙施工することが困難である問題があった。また、塗布される糊の種類によっては臭気の問題もあった。
【０００５】
更に、ペースト糊が多すぎると、糊が壁紙の外方にハミ出したり、糊溜まり跡の発生や、フクレ等の原因となる。逆に、ペースト糊が少ないと、少しの時間を放置しただけで、壁紙の糊を付けた裏紙同士が付着して剥がれなくなる所謂「アイハギ」現象が発生したり、施工後の剥がれに繋がる。
【０００６】
以上の問題点を解決するため、糊が予め壁紙裏面に塗布された生糊付壁紙や粘着剤付壁紙等がＤＩＹ用として既に提案されている（例えば、特許文献１参照）。この提案された壁装シートは、「表面の全面を粘着剤によって処理された壁装材の裏面と、表面の全面を表面処理剤によって処理された台紙の表面とが剥離強度が０．０２〜２ｋｇ／３ｃｍの範囲にあるように見掛け上の接着をなしており、更に台紙の裏面が公知の接着剤によって壁表面に接着できる構成の脱着可能な壁装材と台紙とよりなる」ものである。
【０００７】
これにより、壁装材が壁表面から剥がれ落ちることが無く、尚且つ、壁装材を新しいものに貼り替える時には、容易に台紙から壁装材を剥ぎ取ることで下地の壁表面が不均一に露出する等の影響がなく、壁の平滑性が損なわれることがない利点を奏する。
【先行技術文献】
【特許文献】
【０００８】
【特許文献１】実公昭４９−３０９９３号公報
【発明の概要】
【発明が解決しようとする課題】
【０００９】
しかしながら、このような壁装シートは、壁紙の種類や意匠が限定され、顧客が自由に壁紙を選ぶことができなかった。また、提案された台紙のみを購入し、自身で選択した壁紙を台紙に貼って壁装シートを得た上で、内装施工するには、大きな手間がかかり、台紙上に壁紙を均一に貼着すること自体に熟練を要することとなる。
【００１０】
一方、最近のネット環境及び流通環境の充実より、外国から種々の壁紙がＤＩＹや日曜大工を行う一般人の手元に容易に届くようになった。そこで、より簡便にしかも失敗無く壁紙を壁表面に貼着することができる壁紙施工法を検討し、その施工法で用いる粘着材を検討した。
【００１１】
本発明は、澱粉糊等の接着剤を使用しないで壁紙の内装壁面への貼り直しが可能で、目的とする内装壁面の領域に位置決めした後には簡単な施工で強い粘着力を得ることが可能な壁紙施工法を得ることを目的とする。また、この壁紙施工法で用いる両面テープ材を得ることを別の目的とする。
【課題を解決するための手段】
【００１２】
請求項１に記載された発明に係る壁紙施工法は、壁紙に貼着される強粘着面と、内装壁面に貼着される易剥離粘着面とを備えた両面テープ材にて壁紙を内装壁面に貼着する内装施工法であって、
前記内装壁面の壁紙の仮貼着領域の内側周囲に前記両面テープ材を易剥離粘着面で貼着する工程と、
前記貼着領域の内側周囲に貼着された両面テープ材の強粘着面に壁紙を貼着する工程と、
前記壁紙を両面テープ材と共に仮貼着領域から剥がして目的の貼着領域に貼り直して位置合わせする工程と、
位置合わせした壁紙の両面テープ材を壁紙側から強く圧着する工程とを備えたことを特徴とするものである。
【００１３】
請求項２に記載された発明に係る壁紙施工法は、壁紙に貼着される強粘着面と、内装壁面に貼着される易剥離粘着面とを備えた両面テープ材にて壁紙を内装壁面に貼着する内装施工法であって、
前記壁紙の裏面に前記両面テープ材を強粘着面で貼着する工程と、
前記壁紙の裏面に表出した前記両面テープ材の易剥離粘着面で目的の貼着領域に貼り直ししつつ位置合わせする工程と、
位置合わせした壁紙の両面テープ材を壁紙側から強く圧着する工程とを備えたことを特徴とするものである。
【００１４】
請求項３に記載された発明に係る壁紙施工法は、壁紙に貼着される強粘着面と、内装壁面に貼着される易剥離粘着面とを備えた両面テープ材にて壁紙を内装壁面に貼着する内装施工法であって、
前記内装壁面の壁紙の仮貼着領域の内側周囲に前記両面テープ材を強粘着面で貼着する工程と、
前記貼着領域の内側周囲に貼着された両面テープ材の易剥離粘着面に壁紙を貼着する工程と、
前記壁紙を両面テープ材の易剥離粘着面から剥がして目的の貼着領域に貼り直して位置合わせする工程と、
位置合わせした壁紙の両面テープ材を壁紙側から強く圧着する工程とを備えたことを特徴とするものである。
【００１５】
請求項４に記載された発明に係る壁紙施工法は、壁紙に貼着される強粘着面と、内装壁面に貼着される易剥離粘着面とを備えた両面テープ材にて壁紙を内装壁面に貼着する内装施工法であって、
前記壁紙の裏面に前記両面テープ材を易剥離粘着面で貼着する工程と、
前記壁紙の裏面に表出した前記両面テープ材の強粘着面で目的の貼着領域に位置合わせする工程と、
位置合わせした壁紙の両面テープ材を壁紙側から強く圧着する工程とを備えたことを特徴とするものである。
【００１６】
請求項５に記載された発明に係る壁紙施工法は、請求項１〜４の何れか１項に記載の両面テープ材として、両面テープ材を壁紙側から強く圧着した際に、易剥離粘着面が強い粘着面に変化するものを用いることを特徴とするものである。
【００１７】
請求項６に記載された発明に係る壁紙施工法で用いる両面テープ材は、請求項１〜５の何れか１項に記載の壁紙施工法に用いる両面テープ材であって、
前記両面テープ材が、両面テープ材を壁紙側から強く圧着した際に、易剥離粘着面が強い粘着面に変化することを特徴とするものである。
【００１８】
請求項７に記載された発明に係る壁紙施工法で用いる両面テープ材は、請求項６に記載の内装壁面と貼着する易剥離粘着面の表面に多数の粘着層内に埋設可能な粒子が表出しており、前記両面テープ材を壁紙側から強く圧着した際に粒子が粘着層内に埋設することにより、強い粘着面に変化することを特徴とするものである。
【発明の効果】
【００１９】
本発明は、澱粉糊等の接着剤を使用しないで壁紙の内装壁面への貼り直しが可能で、目的とする内装壁面の領域に位置決めした後には簡単な施工で強い粘着力を得ることが可能な壁紙施工法を得ることができる。また、この壁紙施工法で用いる両面テープ材を得ることができるという効果がある。
【図面の簡単な説明】
【００２０】
【図１】本発明の壁紙施工法に用いる両面テープ材の一実施例の外観を示す説明図である。
【図２】図１に示す両面テープ材を用いる壁紙施工法の初期工程を示す説明図である。
【図３】図１に示す両面テープ材の壁紙施工法の各工程における断面図である。
【図４】図２に続く工程を示す説明図である。
【図５】最終圧着状態手前の両面テープ材の拡大断面を含む断面図である。
【発明を実施するための形態】
【００２１】
本発明においては、壁紙に貼着される強粘着面と、内装壁面に貼着される易剥離粘着面とを備えた両面テープ材にて壁紙を内装壁面に貼着する内装施工法であって、内装壁面の壁紙の仮粘着領域の内側周囲に前記両面テープ材を易剥離粘着面で貼着する工程と、貼着領域の内側周囲に貼着された両面テープ材の強粘着面に壁紙を貼着する工程と、壁紙を両面テープ材と共に仮貼着領域から剥がして目的の貼着領域に貼り直して位置合わせする工程と、壁紙を両面テープ材と共に仮貼着領域から剥がして目的の貼着領域に位置合わせする工程と、位置合わせした壁紙の両面テープ材を壁紙側から強く圧着する工程とを備えることにより、澱粉糊等の接着剤を使用しないで壁紙の内装壁面への貼り直しが可能で、目的とする内装壁面の領域に位置決めした後には簡単な施工で強い粘着力を得ることが可能となる。
【００２２】
即ち、本発明の壁紙施工法では、ロール状に捲回された内巻き側を易剥離粘着面と、外巻き側を剥離紙で覆われた強粘着面とを備えた両面テープ材を用いる。この壁紙施工法では、壁紙に貼着される強粘着面と、内装壁面に貼着される易剥離粘着面とを備えた両面テープ材で壁紙を内装壁面に貼着するものである。強粘着面と易剥離粘着面とを備えた両面テープ材を用いるため、ロール状の捲回を解きながら適当な長さに切断した両面テープ材の易剥離粘着面を内装壁面に仮貼着する。仮貼着される領域は、貼着される壁紙の領域であるため、壁紙の領域の内側周囲に沿って両面テープを仮貼着して強粘着面に貼着された剥離紙を剥離して強粘着面を表出させておく。
【００２３】
次に表出された両面テープ材の強粘着面に壁紙を貼着する。両面テープ材の強粘着面の粘着力が易剥離粘着面よりも強いため、貼着された壁紙自体を持ち上げようとすると、両面テープ材の易剥離粘着面が内装壁面から離れることになる。そこで、目的の貼着領域に貼り直して位置合わせすることが容易に行える。目的の貼着領域への位置合わせを終えると、位置合わせした壁紙の両面テープ材を壁紙側から強く圧着してしっかりと易剥離粘着面と内装壁面とを接着させる。
【００２４】
同じロール状に捲回された内巻き側を易剥離粘着面と、外巻き側を剥離紙で覆われた強粘着面とを備えた両面テープ材を用いた別の施工法では、両面テープ材を先に壁紙に貼着させてもよい。即ち、壁紙の裏面に両面テープ材を易剥離粘着面で貼着する工程と、壁紙の裏面に表出した両面テープ材の強粘着面で目的の貼着領域に位置合わせする工程と、位置合わせした壁紙の両面テープ材を壁紙側から強く圧着する工程とを備える。これにより、貼り直しには少々手間取るが、貼着し難い下地（表面強化壁紙や汚れ防止壁紙の上）へも貼着させることが可能となる。この場合の貼り直しとしては、壁紙を少しめくって両面テープ材が下地側に貼着していること確認してゆっくりと剥がして貼り直すことが可能となる。
【００２５】
また、別の本発明の壁紙施工法では、ロール状に捲回された内巻き側を強粘着面と、外巻き側を剥離紙で覆われた易剥離粘着面とを備えた両面テープ材を用いる。この壁紙施工法では、壁紙に貼着される強粘着面と、内装壁面に貼着される易剥離粘着面とを備えた両面テープ材にて壁紙を内装壁面に貼着するものである。ロール状の捲回を解きながら適当な長さに切断した両面テープ材の強粘着面を内装壁面の壁紙の仮貼着領域の内側周囲に貼着する。貼着される領域は、貼着される壁紙の領域であるため、壁紙の領域の内側周囲に沿って両面テープを貼着して易剥離粘着面に貼着された剥離紙を剥離して易剥離粘着面を表出させておく。
【００２６】
次に表出された両面テープ材の易剥離粘着面に壁紙を貼着する。両面テープ材の強粘着面の粘着力が易剥離粘着面よりも強いため、貼着された壁紙自体を持ち上げようとすると、両面テープ材の易剥離粘着面が壁紙から離れることになる。そこで、壁紙を貼り直して位置合わせすることが容易に行える。壁紙を目的の位置に合わせを終えると、壁紙の両面テープ材を壁紙側から強く圧着してしっかりと易剥離粘着面と壁紙とを強く接着させる。
【００２７】
また、同じロール状に捲回された内巻き側を易剥離粘着面と、外巻き側を剥離紙で覆われた強粘着面とを備えた両面テープ材を用いた別の施工法では、両面テープ材を先に壁紙に貼着させてもよい。即ち、壁紙の裏面に両面テープ材を強粘着面で貼着する工程と、壁紙の裏面に表出した両面テープ材の易剥離粘着面で目的の貼着領域に貼り直ししつつ位置合わせする工程と、位置合わせした壁紙の両面テープ材を壁紙側から強く圧着する工程とを備える。これにより、両面テープ材の易剥離粘着面を内装壁面に仮貼着することができ、目的の貼着領域に貼り直して位置合わせすることが容易に行える。目的の貼着領域への位置合わせを終えると、位置合わせした壁紙の両面テープ材を壁紙側から強く圧着してしっかりと易剥離粘着面と内装壁面とを接着させればよい。
【００２８】
本発明の壁紙施工法に用いる両面テープ材としては、壁紙に貼着される強粘着面と、内装壁面に貼着される易剥離粘着面とを備えるものであればよく、好ましくは、両面テープ材が、両面テープ材を壁紙側から強く圧着した際に、易剥離粘着面が強い粘着面に変化するものを用いることにより、位置合わせした壁紙の両面テープ材を壁紙側から強く圧着することにより、しっかりと接着することができる。
【００２９】
壁紙側から強く圧着した際に、易剥離粘着面が強い粘着面に変化する両面テープ材としては、マイクロカプセルで粘着成分の強さを強化するものや、弱粘着性の粘着層が強粘着性の粘着層の粘着面よりも突設させて、強く圧着した際に強粘着面が内装壁面に接着するもの等が挙げられる。
【００３０】
好ましい態様としては、両面テープ材が内装壁面と貼着する易剥離粘着面の表面に多数の粘着層内に埋設可能な粒子が表出しており、両面テープ材を壁紙側から強く圧着した際に粒子が粘着層内に埋設することにより、強い粘着面に変化するものが挙げられる。これにより、澱粉糊等の接着剤を使用しないで壁紙の内装壁面への貼り直しが可能で、目的とする内装壁面の領域に位置決めした後には簡単な施工で強い粘着力を得ることができる。
【実施例】
【００３１】
図１は本発明の壁紙施工法に用いる両面テープ材の一実施例の外観を示す説明図である。図２は図１に示す両面テープ材を用いる壁紙施工法の初期工程を示す説明図である。図３は図１に示す両面テープ材の壁紙施工法の各工程における断面図である。図４は図２に続く工程を示す説明図である。図５は最終圧着状態手前の両面テープ材の拡大断面を含む断面図である。
【００３２】
図１に示す通り、本発明の壁紙施工法に用いる両面テープ材１１は、円柱状の芯材１２を中心にロール状に捲回されている。詳しくは、この両面テープ材１１は、図３のａ図に示す通り、上面から順に剥離紙１３と、強粘着層１４と、テープ基材１５と、易剥離粘着層１６とからなり、易剥離粘着層１６の易剥離粘着面が剥離紙１３の上面に被着して芯材１２を中心にロール状に捲回されている。
【００３３】
この両面テープ材１１は、図２に示す通り、５０ｃｍ程度の長さに切断されて、内装壁面２０の壁紙の仮貼着領域２１の内側周囲に易剥離粘着層１６の粘着面で貼着される。この時の両面テープ材１１は、図３のｂ図に示す通りであり、易剥離粘着層１６は軽く内装壁面２０に貼着される。図３のｃ図に示す通り、剥離紙１３を剥離して、強粘着層１４の粘着面を表出させる。
【００３４】
図３のｄ図及びｅ図に示す通り、強粘着層１４の粘着面に壁紙３０を貼着する。内装壁面２０と易剥離粘着層１６の粘着面との接着強度に比べて、壁紙３０と強粘着層１４の粘着面との接着強度の方がより大きいため、壁紙３０を持ち上げると、図３のｆ図に示す通り、内装壁面２０から易剥離粘着層１６の粘着面が剥離する。
【００３５】
図３のｇ図に示す通り、両面テープ材１１の強粘着層１４と、テープ基材１５と、易剥離粘着層１６とは壁紙３０に貼着した状態となっており、内装壁面２０には易剥離粘着層１６の粘着面が表出されているため、貼り直しが可能となっている。これにより、目的とする位置となるように壁紙３０を何回も貼り直しが可能となる。
【００３６】
目的とする位置に壁紙３０を貼った後に、図４に示す通り、ヘラ等で壁紙３０の両面テープ材１１の強粘着層１４と、テープ基材１５と、易剥離粘着層１６とを壁紙３０側から強く圧着することにより、易剥離粘着面が強い粘着面に変化することにより、壁紙３０が落下することなく内装壁面２０に貼着されることになる。
【００３７】
本実施例の両面テープ材１１の易剥離粘着層１６は、図５に示す通り、易剥離粘着層１６の粘着面に多数の粘着層内に埋設可能な粒子４０が表出しており、両面テープ材１１を壁紙３０側から強く圧着した際に粒子４０が粘着層１６内に埋設することにより、粘着面が大きくなるため、強い粘着面に変化することが可能である。
【００３８】
本実施例の両面テープ材１１を用いた壁紙施工法は次の通りである。本壁紙施工法では、薄く、巻きジワ、伸縮の少ない壁紙３０を貼ることに適している。壁紙３０が貼付される内装壁面２０の汚れ等は予め除去する。また、特に冬場等は内装壁面２０の部屋自体を暖かくしてから施工すると失敗が少ない。また、施工前チェックとしては、貼りつける壁紙を小さく切ったものを用意し、両面テープ材１１を使用して目立たない部分に貼り、へらで圧着させる。１日以上経過後に問題なく接着しているか、あるいは下地表面を傷めないかチェックする。
【００３９】
本実施例の両面テープ材１１を用いた壁紙施工法は、将来的に現状復帰することを予定し、比較的貼着しやすい内装壁面に貼る場合に好適であり、ビニル壁紙やフリース壁紙などに好適である。
【００４０】
(1) 壁紙の採寸・裁断
床から天井までの高さを測る。壁紙を床から天井＋約１０ｃｍ長めに切る。模様の繰り返しがある場合さらに繰り返し分長く切っておく、裁断したら壁紙の天地に気を付けて、巻き取って準備をする。
【００４１】
(2) 下地の採寸
貼りはじめ位置に壁紙を当て、壁紙の幅（施工に好適な巾として４０〜６０ｃｍ程度）間隔で目印をつける。尚、紙にはその他に幅９０〜１００ｃｍ程度のものもあるが、その場合は、壁紙の巾の半分の位置にも両面テープを貼ると良い。
【００４２】
(3) 両面テープ材の貼り付け
図２のように壁紙の仮貼着領域の両幅に沿って両面テープ材１１を仮貼りして、剥離紙を剥離して強粘着面を表出させておく。尚、目印から１〜２ｍｍほど内側に貼ると仕上がりがきれいとなる。
【００４３】
(4) 壁紙の貼着
両面テープ材１１の上部の間隙にはくっつき難い下地の場合には、水平に両面テープ材を張って縦方向に貼着した両面テープ材１１と共に貼着させてもよいが、天井面及び床面との間を約５ｃｍ開けておき、貼着する壁紙３０の上端部に水平に両面テープ材１１を張ることにより、取付けが容易となる。
【００４４】
即ち、作業者が取り回しし易い高さ位置の内装壁面に水平に両面テープ材１１ａを仮貼りして、剥離紙を剥離して強粘着面を表出させておき、貼着する壁紙３０の上端部の５ｃｍ内側に壁紙３０を接着させる。この状態で両面テープ材１１ａと共に内装壁面から剥がして、壁紙３０の両面テープ材１１ａを天井面との間に貼着するように垂らしながら、両幅に沿って仮貼りした両面テープ材１１と壁紙３０とを貼り合わせる。
【００４５】
貼りつけた壁紙３０が垂直になっていることを確認しながら目的とする位置となるように貼付作業・剥離作業を行う。尚、天井側に余らせた壁紙３０を切断すると以降の位置調整ができなくなるため、余らせた部分の切断は壁紙３０が目的とする位置に貼着され、しっかりと圧着した後に行う。
【００４６】
壁紙３０が目的とする位置に貼着されたことを確認した後に、床面側の空き領域に水平に両面テープ材１１ｂを貼着して壁紙３０と接着させておく。その後、図４に示すように、専用ヘラで矢印方向に沿ってしっかりと圧着する。先ず、幅の一方端を両面テープ材１１を壁紙３０の表面から内装壁面へ強く圧着させる。この時、片手で壁紙３０を下方向に引張りながら上部から下部方向にヘラで圧着させることにより、シワや弛みの発生が阻止される。
【００４７】
次に幅の他端部を圧着させる。この時、片手で壁紙３０を斜め下方の外方向に引張りながら、ヘラも同じように斜め下方の外方向に圧着させることにより、シワや弛みの発生が阻止される。幅の他端部を圧着させた後に、上部の水平に貼着された両面テープ材１１ａと下部の水平に貼着された両面テープ材１１ｂをヘラで圧着させる。
【００４８】
尚、同じロール状に捲回された内巻き側を易剥離粘着面と、外巻き側を剥離紙で覆われた強粘着面とを備えた両面テープ材１１を用いた別の施工法では、両面テープ材１１を内装壁面ではなく、壁紙に先に貼着させてもよい。既存壁紙の上から新たな壁紙を貼着する場合に、特に下地となる既存壁紙が表面強化壁紙や汚れ防止壁紙等の接着性が悪い場合に、下地側に強粘着面、壁紙側に弱粘着面を貼着するようにしてもよい。この場合の貼り直しとしては、壁紙を少しめくって両面テープ材の強粘着面が下地側に貼着していること確認してゆっくりと剥がして易剥離粘着面に貼り直すことが可能となる。
【００４９】
また、別の両面テープ材として、図１に示した両面テープ材を捲回した際の積層の順番を剥離紙１３から易剥離粘着層１６、テープ基材１５、強粘着層１４として、ロール状に捲回された内巻き側を強粘着層１４の粘着面と、外巻き側を剥離紙で覆われた易剥離粘着層１６の粘着面とを備えた別の両面テープ材を用いてもよい。この別の両面テープ材を用いた場合の施工法としては、壁紙に貼着される強粘着層の粘着面と、内装壁面に貼着される易剥離粘着層の粘着面とを備えた両面テープ材にて壁紙を内装壁面に貼着するものである。ロール状の捲回を解きながら適当な長さに切断した両面テープ材の強粘着層の粘着面を内装壁面の壁紙の貼着領域の内側周囲に貼着する。
【００５０】
貼着される領域は、貼着される壁紙の領域であるため、壁紙の領域の内側周囲に沿って両面テープ材を貼着して易剥離粘着層の粘着面に貼着された剥離紙を剥離して易剥離粘着層の粘着面を表出させておく。次に表出された両面テープ材の易剥離粘着層の粘着面に壁紙を貼着する。両面テープ材の強粘着層の粘着面の粘着力が易剥離粘着層の粘着面よりも強いため、貼着された壁紙自体を持ち上げようとすると、両面テープ材の易剥離粘着層の粘着面が壁紙から離れることになる。そこで、壁紙を貼り直して位置合わせすることが容易に行える。壁紙を目的の位置に合わせを終えると、壁紙の両面テープ材を壁紙側から強く圧着してしっかりと易剥離粘着層の粘着面と壁紙とを強く接着させる。
【００５１】
尚、別の両面テープ材を内装壁面ではなく、壁紙に先に貼着させてもよい。両面テープ材の捲回を解きながら、適当な長さに切断し、露出された強粘着層の粘着面を壁紙の裏面の周囲に貼着し、剥離紙を剥がして、易剥離粘着層の粘着面を表出させて内装壁面に仮貼りさせつつ位置決めを行えばよい。目的の貼着領域への位置合わせを終えると、同様に、位置合わせした壁紙の両面テープ材を壁紙側から強く圧着してしっかりと易剥離粘着層の粘着面と内装壁面とを接着させればよい。
【００５２】
(5) 上部及び上部の裁断
壁紙上部の隅を専用ヘラの丸い部分でしっかりと押さえ、折り目を付ける。専用ヘラを隅へ押し付け、ガイドにしながらカッターで余分な部分を切り落とす。下部についても、同様に、折り目をつけて、ガイドにしながら切断する。
【００５３】
(6) 仕上げ圧着
裁断が終わった壁紙３０について、両面テープ材１１、１１ａ、１１ｂを再度壁紙３０の表面から内装壁面へ再度強く圧着する。
【産業上の利用可能性】
【００５４】
本発明は、澱粉糊等の接着剤を使用しないで壁紙を内装壁面に貼着することができるため、市販の壁紙だけでなく、外国からの種々の壁紙の貼着に利用することが可能である。
【符号の説明】
【００５５】
１１  …両面テープ材、
１１ａ…両面テープ材、
１１ｂ…両面テープ材、
１２  …芯材、
１３  …剥離紙、
１４  …強粘着層、
１５  …テープ基材、
１６  …易剥離粘着層、
２０  …内装壁面、
２１  …仮貼着領域、
３０  …壁紙、
４０  …埋設可能な粒子、
【図１】
2017106196.tif 000003
【図２】
2017106196.tif 000004
【図３】
2017106196.tif 000005
【図４】
2017106196.tif 000006
【図５】
2017106196.tif 000007